(57)【特許請求の範囲】
【請求項１】
セキュリティ形体が物品に取り付けられ、このセキュリティ形体は、光学的な拡大装置を用いて観察可能に構成され、かつ模様化がなされた単数又は複数の微小なマーカーがランダムに分散された構成であり、前記マーカーは、集積回路の技術分野におけるリソグラフィーの手法によって形成されたものであるか、または他のマイクロ・マシニングの技術分野の手法によって形成されたものであって、図形、ロゴ、個人的な署名、日付、言葉等の、そのデザインの内容に基づき情報をもったものとして認識されるように構成されたものであることを特徴とする物品の承認システム。
【請求項２】
マーカーどうしが同一の模様で構成されているか、またはマーカーどうしが互いに異なった模様で構成されているか、または同一の模様のマーカーと異なった模様のマーカーとが混在されていることを特徴とする請求項１記載の物品の承認システム。
【請求項３】
マーカーのサイズが数ミリメータから１ミクロンの範囲であることを特徴とする請求項１または２記載の物品の承認システム。
【請求項４】
セキュリティ形体は、物品の表面に直接固着されているか、または物品の内部においてこの物品に取り付けられているか、または物品に取り付けられるラベルもしくはタグに設けられていることを特徴とする請求項１から３までのいずれか１項記載の物品の承認システム。
【請求項５】
集積回路の技術分野におけるリソグラフィーの手法によって形成されたマーカーであるか、または他のマイクロ・マシニングの技術分野の手法によって形成されたマーカーであって、図形、ロゴ、個人的な署名、日付、言葉等の、そのデザインの内容に基づき情報をもったものとして認識されるように構成されるとともに、光学的な拡大装置を用いて観察可能に構成されかつ模様化がなされた微小な多数のマーカーを液体の内部で均一に混合させ、このマーカーが均一に混合された少量の液体を物品に付着させ、そして液体を蒸発させて乾燥させることにより単数又は複数のマーカーを物品に固着させることを特徴とする物品の承認方法。
【請求項６】
光学的な拡大装置を用いてセキュリティ形体を観察することによって、このセキュリティ形体におけるマーカーおよびその配置を記録することを特徴とする請求項５記載の物品の承認方法。
【請求項７】
マーカーおよびその配置が記録されているセキュリティ形体が取り付けられている物品の、前記セキュリティ形体を観察し、その観察結果を前記記録と比較して両者が一致するか否かを判断することを特徴とする請求項６記載の物品の承認方法。
【請求項８】
マーカーどうしが同一の模様で構成されているか、またはマーカーどうし互いに異なった模様で構成されているか、または同一の模様のマーカーと異なった模様のマーカーとが混在されていることを特徴とする請求項５から７までのいずれか１項記載の物品の承認方法。
【請求項９】
ドッティングまたはペインティングまたはスプレー塗布などのプリント方法によってマーカーを物品に固着させることを特徴とする請求項５から８までのいずれか１項記載の物品の承認方法。
【発明の詳細な説明】
【０００１】
【発明の属する技術分野】
本発明は物品の承認システムおよび承認方法に関し、特に、独特な識別子としての証印を有した微小マーカー状のセキュリティ形体を物品に使用することによる、物品の承認システムおよび承認方法に関する。
【０００２】
【従来の技術】
物品の偽造を防止あるいは抑止して、その物品の真正性を保証するよう設計された、広範囲のセキュリティ形態が知られている。例えば、ホログラム、透かし模様、特殊インク、色分けセキュリティ・ファイバー、等がそうしたセキュリティ形態である。偽造抑止にはいくつかの重要な規準がある。第一の規準は、原材料の供給源や製造設備などに関する入手性についての統制であって、偽造者が製品を偽造するために必要な材料や設備を入手することを困難にすることによって、第一段階のセキュリティを行う。第二の規準は、物品に付着させるセキュリティ形体による偽造の防止である。偽造防止のための良くできた形体は模倣が極めて難しいため、この形体の独自性は確保され、したがって偽造を抑止することができる。第三の重要な規準は、承認の手法であり、セキュリティ形体を識別あるいは承認するための検査装置の入手性に関連する。
【０００３】
完璧な偽造防止セキュリティのための条件を全て満たす形態はほとんどなく、したがって詐欺を招く余地が残っている。例えば、クレジットカードで一般的なホログラフィーによるセキュリティ形体は、その製造のために、いわゆるハイテク総合研究所並の設備が必要である。研究所設備へアクセスすることは制限を受けるため、セキュリティの一つの段階は達成されるが、ホログラフィーによるセキュリティ形体の場合は、その複製品が全て同じで、ユーザーにとっては正当品と偽造品とを見分けるのが難しい。形体の承認のために必要となる承認装置は、高価で、しかも取り扱い場所へ持っていくことも難しい。このように、ホログラフィーによるセキュリティ形体は、オリジナルの複製品による窃盗が発生する可能性を有するとともに、ユーザーが本物のセキュリティ形体を的確に識別できないというリスクを背負っている。
【０００４】
他の例としては、マネーカードやクレジットカードとして使われる平らなカード状物品に、散乱状態のランダム磁性媒体を適用したものが、アメリカ特許第４，８０６，７４０号明細書と、第５，４３４，９１７号明細書とに開示されている。散乱状態の磁性媒体の特異なランダム特性は、一度その模様の特徴が走査され安全な中央ベータベースに登録されると、偽造防止用の重要な証拠となる。この場合には、同じカードは２枚とない。またこの場合には、製造工程が比較的簡単であり、しかもランダムに散乱させた媒体からは製造時に保証された独自性以外の情報は何ら供給されない。そして、中央データベースと登録プロセスとの安全を管理することで、高度なセキュリティを可能とすることができる。特異なランダム特性を有した信号を読み取って、それを、あらかじめ記憶されているデータと比較する方法が、比較的簡単で、かつクレジットカードあるいはマネーカードの場合には、そのための装置を簡単に取り扱い場所へ持っていくことができる。
【０００５】
【発明が解決しようとする課題】
本発明は、特定の利用条件において上記規準の全てを満たすことができるようにすることを、その技術的な課題とする。
【０００６】
【課題を解決するための手段】
この課題を解決するために本発明にもとづく物品の承認システムは、セキュリティ形体が物品に取り付けられ、このセキュリティ形体は、光学的な拡大装置を用いて観察可能に構成され、かつ模様化がなされた単数又は複数の微小なマーカーがランダムに分散された構成であり、前記マーカーは、集積回路の技術分野におけるリソグラフィーの手法によって形成されたものであるか、または他のマイクロ・マシニングの技術分野の手法によって形成されたものであって、図形、ロゴ、個人的な署名、日付、言葉等の、そのデザインの内容に基づき情報をもったものとして認識されるように構成されたものであるようにしたものである。
【０００７】
本発明によれば、マーカーどうしが同一の模様で構成されているか、またはマーカーどうしが互いに異なった模様で構成されているか、または同一の模様のマーカーと異なった模様のマーカーとが混在されているようにすることができる。また、マーカーのサイズが数ミリメータから１ミクロンの範囲であるようにすることができる。
【０００８】
本発明によれば、セキュリティ形体は、物品の表面に直接固着されているか、または物品の内部においてこの物品に取り付けられているか、または物品に取り付けられるラベルもしくはタグに設けられているようにすることができる。
【００１０】
本発明にもとづく物品の承認方法は、集積回路の技術分野におけるリソグラフィーの手法によって形成されたマーカーであるか、または他のマイクロ・マシニングの技術分野の手法によって形成されたマーカーであって、図形、ロゴ、個人的な署名、日付、言葉等の、そのデザインの内容に基づき情報をもったものとして認識されるように構成されるとともに、光学的な拡大装置を用いて観察可能に構成されかつ模様化がなされた微小な多数のマーカーを液体の内部で均一に混合させ、このマーカーが均一に混合された少量の液体を物品に付着させ、そして液体を蒸発させて乾燥させることにより単数又は複数のマーカーを物品に固着させるものである。
【００１１】
また本発明の承認方法は、光学的な拡大装置を用いてセキュリティ形体を観察することによって、このセキュリティ形体におけるマーカーおよびその配置を記録するものである。
【００１２】
そして、マーカーおよびその配置が記録されているセキュリティ形体が取り付けられている物品の、前記セキュリティ形体を観察し、その観察結果を前記記録と比較して両者が一致するか否かを判断するものである。
【００１３】
本発明によれば、マーカーどうしが同一の模様で構成されているか、またはマーカーどうしが互いに異なった模様で構成されているか、または同一の模様のマーカーと異なった模様のマーカーとが混在されているようにすることができる。
【００１６】
また本発明によれば、ドッティングまたはペインティングまたはスプレー塗布などのプリント方法によってマーカーを物品に固着させることができる。
このような構成の本発明によれば、特定の利用条件において上記規準の全てを満たすことができる。第一に、マーカーは大量生産できしたがってコストを低く抑えることができる。しかし、その製造には、ハイテクの、広義には、集積回路あるいはマイクロ・マシニングのための設備が必要であり、そうした設備は、限定されたものであって、偽造者にとっては膨大な投資が必要となる。第二に、大量生産することが可能であるにもにかかわらず、証印を含んだ指紋状の各マーカーには独自性があり、偽造防止性がある。第三に、本発明によって、素人でも低価格の低拡大率のルーペあるいは顕微鏡などの廉価な装置によって識別検証を行うことができる。
【００１７】
独自性があって偽造防止効果のあるセキュリティ形体を物品に付着させるためには、この物品が貴重品である場合は、特別なセキュリティマーカーを作り出すことが可能な、複数の顕微鏡レベルの微小マーカーを使った時のランダム性を利用するのが、偽造防止模様を付着させるための優れた方法となる。本発明によれば、マーカーをランダムに散乱させた模様が形成されるとともにそのサイズが微小であることで、その独自性が保証されるだけでなく、正確な複製品をこの微小さで作ることをほぼ不可能かつ実行不能とすることができる。単一あるいは複数のマーカーによる証印は、利用者によって選ばれ、すべてのマーカーがそれぞれ違った証印を持つという特殊性を持つことになる。本発明の概念によれば、簡単に作ることが可能であるが正確な複製はきわめて難しい偽造防止模様を作り出す、という優れた効果を有する。貴重品に対してこのようなマーカーを付着させることによって、この貴重品を許可なく複製することおよび複製品を本物として売り込むことを文字通り不可能とする。これによって、偽造を防止でき、マーカーは物品のための承認用の独特な記録として使うことができる。
【００１８】
本発明によれば、新しいマイクロ・マシニング技術を使って、微小マーカーを大量生産することができる。こうした微小マーカーは、あらゆる種類の形状に模様化することができる。マーカーは、図形、ロゴ、個人的な署名、日付、言葉、等として形成することができる。微小サイズの範囲は、たとえば。現在の技術では、解像度はミクロンオーダーの微小片にまで達することができ、その場合は物品に付着させた時の測定に走査用電子顕微鏡（ＳＥＭ）が必要となる。このように極めて小さいサイズは、通常はほとんどの場合必要とはされない。現在の技術によればこのような微小サイズの製造が可能であるにもかかわらず、使用可能な微小サイズの決定は、検査装置のコストによって制限される。異なったサイズおよび模様のマーカーを組み合わせて、偽造をより難しくすることもできる。さらに本発明は、マーカーのサイズを一定の微小サイズに決めて、素人が廉価なルーペを使って承認できるようにすることもできる、という効果をも有する。
【００１９】
本発明のセキュリティ形体を含んだ証印の製造方法は、たくさんある。各セキュリティ形体は、揮発性液体あるいは接着剤などの担体液体に混合された多数のマーカーにて形成される。そして、このようなセキュリティ形体は、ドッティング、ペインティング、スプレー塗布などの何種類かのプリント方法によって物品に付着させることができる。揮発性液体を使う場合は、その液体が蒸発した後にシーラーをコーティングすることによって、セキュリティ形体を物品に固定させることができる。セキュリティ形体の証印は、ランダムに散乱されかつ複数の微小模様化されたマーカーを含んだラベルあるいはミニタグに事前に付着させておくこともできる。その後、このようなラベルあるいはタグが物品に付着されて固定されることで、物品のセキュリティすなわちＩＤ形体を形成することができる。別の実施の形態では、物品の製造工程で微小マーカーを物品内に混ぜて物品の一部分とすることができる。この場合は、微小マーカーをプラスチックフィルムにラミネートしたり、透光性を有する物体に微小マーカーを混入させたりするのが好適である。そして、この場合は、マーカーは、物品の表面のみならず、その内部に存在させることもできる。
【００２０】
物品の承認のためには、証印のランダム模様を記録し記憶することが必要である。承認方法は、ルーペか顕微鏡のような簡単な拡大レンズを使って証印を観察して、その証印の拡大図を準備する、という簡単なものとすることができる。この拡大画へのアクセスは、ネットワークまたはインターネットを介した中央データベースの形態によって、あるいは印刷物の形態によって、行うことができる。このような拡大図を準備しておくことによって、どんな複製版でも、オリジナルの証印を用いることなしに、簡単に識別することができる。
【００２１】
本発明は、ＩＤカード、パスポート、貨幣、株券、債務証書、抵当小切手、印紙、収集家向けカード類、証明書類、権利書、重要記録文書、ビザ等の平らな物品の全てに適用できる。また、骨董品、絵画、美術品、商業製品等の三次元の物品にも簡単に適用することができる。
【００２２】
セキュリティ形体が、上述のリソグラフィーの手法によって形成されたものや、他のマイクロ・マシニングの技術分野の手法によって形成されたものであると、このセキュリティ形体をきわめて薄く形成することができる。したがって、上記のような平らで薄い物品、たとえば紙製の物品などに貼り付けた場合にも、ほとんど違和感を生じさせないという利点がある。
【００２３】
コピー機やカメラ等の複製装置によって貴重品を複製しようとしても、本発明の微小マーカーは、微小であるがゆえに、これらの通常の複写装置によっては複写することができない。そのため、このような微小マーカーを備えない、物品の複製品を、微小マーカーを備えたオリジナル品から簡単に識別することができる。
【００２４】
さらに、細かい粒子による証印や、カラーコード化された微小タグや、繊維を使ったり、あるいは物品からランダムな微小模様を選択して用いたりする、現在行われている何種かの方法と異なって、本発明にもとづくカスタムメイドのマーカー形態の証印は、特定語句など、そのマーカーのデザインの内容に基づいて、情報を明らかにすることができる。
【００２５】
【発明の実施の形態】
図１は、物品としての書類１０を示す。この書類１０は、クレジットカード、査証、あるいは承認なしには複写されないことが重要な、あらゆるタイプの重要書類とすることができる。この書類の表面のどこかにセキュリティ形体１２を配置する。セキュリティ形体１２は、図２に拡大して示すように、複数の微小なマーカー２０がランダムに配置された状態で書類１０に固定されたものである。マーカー２０のサイズは、通常、数ミリメータから１ミクロンまでの範囲である。
【００２６】
セキュリティ形体１２は、たとえば、図３に示すような蓋１８付きのガラス容器１４の中に、アルコールなどの揮発性液体あるいは液状接着剤などに代表される液体１６の内部に混合された状態で保管される。このガラス容器１４を、蓋１８をしたままで振ることで、細かい砂粒に似たマーカー２０を液体１６の内部で均一に分散させることができる。
【００２７】
このマーカー２０をセキュリティ形体１２として書類１０に適用させる場合には、上述のように液体１６の内部でマーカー２０を均一に混合させた状態で図４に示すように蓋１８を取り除き、その状態のガラス容器１４の中に小形の細いチューブ状器具２２を挿入し、この器具２２の下端部を液体１６の内部に浸漬させることによって、この器具２２に複数のマーカー２０を含む液体１６を付着させる。そして、器具２２を容器１４から取り出すと、図５に示すように、このチューブ状器具２２内に液体１６がいくらか入り込んで、この器具２２の下端に少量の液体１６が残留する。
【００２８】
ユーザーは、このように器具２２を引き上げて、その先端に残留した量の液体１６を、所望の位置で書類１０の表面に接触させて、この書類１０の表面に付着させる。その後十分な時間をかけて液体１６を蒸発すなわち乾燥させる。ただし、液体１６がアルコールである場合は、図示されていない封止層をセキュリティ形体１２の上に被せることで、マーカー２０を位置固定させる。
【００２９】
図２に示すように、各マーカー２０は、何らかの模様を形成することができる。この模様は、一つの言葉あるいは連続した言葉にて形成することができる。また、この模様は、何らかのタイプのロゴとしたり、図形表示としたりすることもできる。このマーカー２０は、上述のように非常に小さい顕微鏡レベルの微小サイズとして、図示されていない拡大装置を使ってのみ観察できるようにする。本発明によると、マーカー２０は、たとえば図２に示すような「MICROSEAL（マイクロシール）」という一語にて表すことができる。また、「MICROSEAL」という言葉に加えて、図示のような月や年度などの他の言葉も含ませることができる。すなわち、マーカー２０の内容はユーザーが任意に選択することができる。
【００３０】
付着されているマーカー２０を観察するための拡大装置としては、ルーペや顕微鏡などの光学的拡大手段を用いるのが好適である。このような光学的拡大手段を介したうえでマーカー２０を肉眼で観察する場合には、たとえばマーカー２０の拡大図を印刷物の形で準備しておいて、観察したものと対比すればよい。あるいは、光学的読み取り手段を備えた承認装置を用いる場合は、たとえば上述のようにマーカー２０の図形情報をデータベースに格納しておいて、読み取り結果と対比すればよい。
【００３１】
図３や図４に示す容器１４内の液体１６には、通常数千のマーカー２０が含まれる。マーカー２０は、器具２２を使用したいわゆるドッティング方法以外の他の方法でも、書類１０に付着させることができる。たとえば、上述のようなペインティング、スプレー塗布などの何種類かのプリント方法によって物品に付着させることができる。
【００３２】
マーカー２０は、紙が製造されたりあるいは上述のようにクレジットカードが製造されたりする時のように、物品が製造される時に一緒に製造することができる。
【００３３】
このような物品へのマーカーの付与は、上述の器具２２などを用いて手作業によって行うことがもちろん可能であるとともに、ノズルなどを用いて工業的に迅速かつ大量に行うことも可能である。
【００３４】
マーカー２０の特殊な使用方法の一つとして、たとえば宝石にマーカー２０を取り付けて個別の宝石に独自のマーク付けをすることで、メンテナンスのために宝石を宝石商に預けた場合に、戻ってきたものが代替物ではなくその宝石そのものであることを特定の人物が確認できるようにすることができる。このような使用方法は、宝石のみならず、上述のような骨董品、絵画、美術品、商業製品等にも同様に適用することができる。すなわち、これらの品物の真正品にマーカー２０を取り付けておけば、真正品のみがマーカー２０を有することになって、偽物を簡単に見分けることが可能となる。
【００３５】
図６〜図１７は、半導体集積回路の製造方法を応用してマーカー２０を製造するための、本発明にもとづく何種類かの実施の形態を示す。具体的には、図６〜図８は、マーカー２０の製造方法の第１の実施の形態であって、犠牲層２６を支持基板２４の表面に付着させるものを示す。基板２４の一般的な材料は、酸化シリコンからなる犠牲層２６と同じく、シリコンとする。図６に示すように、犠牲層２６の表面には構造層２８を付着させる。この構造層２８が、微小マーカー２０の材料となる。
【００３６】
次に、感光マスク成分３０（図７）を構造層２８の上に加える。そして、この感光層３０を、マーカー２０用の証印模様のコピーを含んだマスクで模様付けする。この証印模様は、たとえば図２に示すような「MICROSEAL」という言葉とすることができる。その後に、図７に示すようにエッチングを施すと、感光層３０で覆われた部分の構造層２８は、エッチングから守られて残る。
【００３７】
次に、図７の構造体の全体を２種類の異なった化学溶液に浸漬させ、構造層２８のみを残して犠牲層２６と感光層３０とを完全に溶解させる。これで、マーカー２０を含んだ大量の構造層２８が、支持基板２４から分離した状態で出来上がる。マーカー２０を含んだ各構造層２８は、回収され、通常はその後に図３に示すようなガラス容器１４内の液体１６中に沈められて、使用可能となる。
【００３８】
なお、マーカー２０がたとえば図２に示すような「MICROSEAL」という複数の文字によって構成された言葉である場合には、各文字どうしがばらばらに分離しないように互いに連結させる必要がある。そのためには、たとえば図９に示すように、各文字８、８どうしを複数の極細の線状体６、６によって互いに連結させて相互に一体化させた状態で、一つの言葉を形成すればよい。
【００３９】
図１０〜図１２は、具体的には、同じ基板２４を使った本発明による製造法の他の実施の形態を示す。ここでは、まず、図１０に示すように基板２４上に感光層３２を付着させる。次に、この感光層３２を写真感光させて所望の模様を作り出す。そして、ポリシリコンなどの構造成分を、このように模様化された感光成分３２の上に付着させる。すなわち、図１１に示すように感光層３０を写真感光させることによって高低差のある不ぞろいな面を作り出して、別々の高さで構造層３４を基板２４に堆積させる。すると、図１１に示すように、構造層３４は端縁で分断される。図１２は、感光層３２が溶解して、別々の構造層３４を構成する微小マーカー２０のみが残った状態を示す。
【００４０】
図１３〜図１５は、本発明にもとづくマーカー２０の製造方法のさらに他の実施の形態を示し、ここでは、具体的には、基板２４上にシード層３６を付着させている。シード層３６の上には、感光層３８を付着させる。この感光層３８を写真感光させて図１３に示すように模様を形成し、それによって感光層３８内に形成されたトレンチの中に、図１４に示すように構造材料４０を成長させる。次に、シード層３６と感光層３８とを溶解させて、図１５に示すように、マーカー２０から成る構造層４０のみを、支持基板２４から分離させた状態で残す。その後、これら別々のマーカー２０を回収して、図３に示すガラス容器１４内に移す。
【００４１】
図１６および図１７は、本発明にもとづくマーカー２０の製造方法のさらに他の実施の形態を示す。ここでは、具体的には、支持基板４４の上面４６をまず模様付けし、かつエッチングを施して、鋳型の役目をさせるために一連の鋳型窪み４８を作り出す。そして、図１６に示すように構造材料５０を鋳型窪み４８内に押し込み、次にこれを図１７に示すように窪み４８から取り出し、別々の要素すなわち別々の構造材料５０としての微小マーカー２０を作り出す。
【００４２】
本発明は、その本質的特性から離れることなく、他の特定の形態で実施することができる。たとえば、マーカー２０は、上述したような集積回路の技術分野における一般的なリソグラフィーの手法によって製造されたもののほかに、他の原理を応用したマイクロ・マシニングの手法によって製造されたものを使用することもできる。
【００４３】
【発明の効果】
以上のように本発明によると、セキュリティ形体が物品に取り付けられ、このセキュリティ形体は、光学的な拡大装置を用いて観察可能に構成され、かつ模様化がなされた単数又は複数の微小なマーカーがランダムに分散された構成であり、前記マーカーは、集積回路の技術分野におけるリソグラフィーの手法によって形成されたものであるか、または他のマイクロ・マシニングの技術分野の手法によって形成されたものであって、図形、ロゴ、個人的な署名、日付、言葉等の、そのデザインの内容に基づき情報をもったものとして認識されるように構成されたものであるため、このマーカーは大量生産できるのでそのコストを低く抑えることができ、しかもその製造には高度な技術が必要であるために偽造を効果的に防止でき、また大量生産することが可能であるにもにかかわらず、ランダムに分散された各マーカーには独自性があって偽造防止性があり、さらに、低価格の低拡大率のルーペあるいは顕微鏡などの廉価な装置によって素人でも識別検証を行うことができる。
【図面の簡単な説明】
【図１】本発明にもとづくセキュリティ形体を付着させたカード状物品の平面図である。
【図２】図１におけるセキュリティ形体の拡大図である。
【図３】密閉ガラス容器に、本発明にもとづくセキュリティ形体に使うマーカーを大量に懸濁させた液体媒体を入れた状態を示す図である。
【図４】図３のガラス容器を開いて、細長い器具を液体内に差し込んだ状態を示す図である。
【図５】図４のガラス容器から抜き取られた細長い器具の長手方向の外観図である。
【図６】本発明にもとづく第１の製造方法による微小マーカーの製造開始時における基板の図である。
【図７】図６の基板に感光層を形成し、感光層に模様付けし、かつ構造層にエッチングを施した状態を示す図である。
【図８】図７において模様付けしたフォトレジスト層と犠牲層とが分解して、模様化した微小マーカーのみが残ったところを示す図である。
【図９】マーカーの一例の拡大詳細図である。
【図１０】本発明にもとづく微小マーカーの第２の製造方法による基板に感光層を取り付けた状態を示す図である。
【図１１】図１０の感光層がその模様の高低差のために分断されて構造ブロックが形成されたところを示す図である。
【図１２】図１１の感光層が分解して、構造層からなる微小マーカーが残った状態を示す図である。
【図１３】本発明にもとづく微小マーカーの第３の製造方法による、模様付けされた感光層が積層されたシード層を有する基板を示す図である。
【図１４】図１３の模様付けされた感光層の溝の中に構造層が形成された状態を示す図である。
【図１５】図１４における感光層とシード層とが分解して、構造層から成る微小サイズのマーカーのみが残った状態を示す図である。
【図１６】本発明にもとづく第４の製造方法による、鋳型のくぼみに構造層が充填されて微小マーカーが形成される状態を示す図である。
【図１７】図１６に示す基板から微小マーカーが解放された状態を示す図である。
【符号の説明】
１０    書類（物品）
１２    セキュリティ形体
２０    マーカー
【図１】
0003665282.tif 000002
【図２】
0003665282.tif 000003
【図３】
0003665282.tif 000004
【図４】
0003665282.tif 000005
【図５】
0003665282.tif 000006
【図６】
0003665282.tif 000007
【図７】
0003665282.tif 000008
【図８】
0003665282.tif 000009
【図９】
0003665282.tif 000010
【図１０】
0003665282.tif 000011
【図１１】
0003665282.tif 000012
【図１２】
0003665282.tif 000013
【図１３】
0003665282.tif 000014
【図１４】
0003665282.tif 000015
【図１５】
0003665282.tif 000016
【図１６】
0003665282.tif 000017
【図１７】
0003665282.tif 000018